(57)【特許請求の範囲】
【請求項１】
ケーシングの中に排気用ファンが配設され、この排気用ファンの起動および停止を制御する制御部と、この制御部に前記排気用ファンの起動および起動後の回転速度および停止のための指令を入力するスイッチを含むスイッチ部とを備え、
前記ケーシングの底壁に排気用吸い込み口が形成され、この排気用吸い込み口の下方に整流板が配設され、この整流板と前記排気用吸い込み口とを囲繞するフード部を有し、前記排気用ファンで排気を行う使用状態において前記整流板が使用状態用位置に位置するときに、前記整流板と前記フード部との間に前記排気用吸い込み口に連通する狭幅の流路が形成され、
前記整流板が前記使用状態用位置に位置しているか、前記整流板が前記使用状態用位置ではない非使用状態用位置に位置しているかの、いずれの状態であるのかを検出する検出部を備え、
前記制御部は、前記検出部によって前記整流板が前記使用状態用位置に位置していることを検出している状態では、前記排気用ファンの停止中に前記スイッチ部により前記排気用ファンを起動する指令が入力されたときに前記排気用ファンの起動を行い、前記排気用ファンの運転中には前記スイッチ部により前記排気用ファンを停止する指令が入力されるまで前記排気用ファンの運転を維持する通常モード用制御を実行し、
前記通常モード用制御の実行中に前記検出部によって前記整流板が前記非使用状態用位置に位置していることを検出したときには、前記排気用ファンの運転を停止し且つ前記スイッチ部により前記排気用ファンを起動する指令が入力されたときにも前記排気用ファンの起動を行わずに前記排気用ファンの停止を維持する、非使用モード用制御を実行するレンジフードであって、
前記通常モード用制御の実行中に前記検出部によって前記整流板が前記非使用状態用位置に位置していることを検出した時点において、少なくとも前記排気用ファンが運転中であるか、前記排気用ファンが停止中であるかの、いずれの制御状態であるのかの情報を含む、前記排気用ファンの制御情報を記憶しておき、
前記非使用モード用制御の実行中において前記整流板が前記使用状態用位置に位置していることを検出した場合に前記制御部が再び前記通常モード用制御を実行する際の、前記排気用ファンの初期状態を選択可能に構成しておき、
前記初期状態として第１の初期状態が選択されたときには、前記制御部は、前記非使用モード用制御の実行中において前記整流板が前記使用状態用位置に位置していることを検出した場合に、前記制御情報に関わらず前記排気用ファンの停止を維持した状態を前記初期状態として前記通常モード用制御を実行し、
前記初期状態として第２の初期状態が選択されたときには、前記制御部は、前記非使用モード用制御の実行中において前記整流板が前記使用状態用位置に位置していることを検出した場合に、前記制御情報に応じて前記排気用ファンの停止の維持或いは起動を行った状態を前記初期状態として前記通常モード用制御を実行することを特徴とするレンジフード。
【請求項２】
前記制御部への設定入力によって前記初期状態の選択を行うことを特徴とする請求項１記載のレンジフード。
【請求項３】
前記設定入力が、前記スイッチ部に備える選択スイッチの入力によって行われることを特徴とする請求項２記載のレンジフード。
【請求項４】
前記スイッチ部に備える前記排気用ファンの起動および起動後の回転速度および停止のための指令を入力するスイッチの何れかが前記選択スイッチを兼用することを特徴とする請求項３記載のレンジフード。
【請求項５】
前記非使用モード用制御を実行してから前記整流板が前記使用状態用位置に位置していることを検出するまでの経過時間が所定の経過時間以上のときには、前記設定入力が前記第２の初期状態を選択するものであっても、前記初期状態として第１の初期状態が選択され、前記制御部は、前記制御情報に関わらず前記排気用ファンの停止を維持した状態を前記初期状態として前記通常モード用制御を実行することを特徴とする請求項２乃至４のいずれか一項に記載のレンジフード。
【請求項６】
前記非使用モード用制御を実行してから前記整流板が前記使用状態用位置に位置していることを検出するまでの経過時間が所定の経過時間以上のときには前記第１の初期状態が選択され、前記非使用モード用制御を実行中してから前記整流板が前記使用状態用位置に位置していることを検出するまでの経過時間が所定の経過時間未満のときには前記第２の初期状態が選択されることを特徴とする請求項１記載のレンジフード。
【発明の詳細な説明】
【技術分野】
【０００１】
本発明は、レンジフードに関し、加熱調理器具の上方に設置されて、調理中に発生する排気ガスなどの汚染空気を吸い込み捕集して屋外に排出するためのレンジフードに関する。
【背景技術】
【０００２】
従来から、ケーシング内に排気用ファンが配設され、ケーシング底壁に排気用吸い込み口が形成され、ケーシング底壁の排気用吸い込み口に臨ませて整流板が配設され、整流板とケーシング囲壁との間に狭幅の流路が形成されたレンジフードが知られている（例えば、特許文献１参照）。
【０００３】
特許文献１では、汚染空気が狭幅の流路ヘ高速で流入することで、ケーシング側方への汚染空気の溢流が抑制され、排気用吸い込み口を介する汚染空気の捕獲率を向上させている。また、整流板の一辺をケーシングに揺動可能に取り付けることによって、レンジフードのケーシング内のメンテナンスや整流板を清掃する場合に、整流板の一辺を中心に一辺と対向する他辺をケーシングから垂下させて、ケーシングの排気用吸い込み口を下方から広く臨むことができるようになり、整流板の上面側もケーシング外に露出させることが可能となることで、整流板を取り外すことなく、容易にケーシング内部や整流板のメンテナンスができるようにしている。
【先行技術文献】
【特許文献】
【０００４】
【特許文献１】特開平８−２７１００１号公報
【発明の概要】
【発明が解決しようとする課題】
【０００５】
ところが前記特許文献１に示されたレンジフードでは、メンテナンス時や清掃時に整流板の他辺をケーシングから垂下させて排気用吸い込み口を下方から広く臨む状態にしたときに、レンジフードへの電源供給を遮断することを失念すると、誤って排気用ファンを始動するスイッチを入り操作してしまったときには、排気用ファンが回転してしまい、メンテナンス者が回転する排気用ファンに接触する虞がある。
【０００６】
本発明はこれらの事情に鑑みてなされたものであって、その目的とするところは、ケーシング内部のメンテナンスや整流板の清掃を容易且つ安全に行うことができるレンジフードを提供することにある。
【課題を解決するための手段】
【０００７】
前記の課題を解決するために、本発明は、ケーシングの中に排気用ファンが配設され、この排気用ファンの起動および停止を制御する制御部と、この制御部に前記排気用ファンの起動および起動後の回転速度および停止の指令を入力するスイッチを含むスイッチ部とを備え、前記ケーシングの底壁に排気用吸い込み口が形成され、この排気用吸い込み口の下方に整流板が配設され、この整流板と前記排気用吸い込み口とを囲繞するフード部を有し、前記排気用ファンで排気を行う使用状態において前記整流板が使用状態用位置に位置するときに、前記整流板と前記フード部との間に前記排気用吸い込み口に連通する狭幅の流路が形成され、前記整流板が前記使用状態用位置に位置しているか、前記整流板が前記使用状態用位置ではない非使用状態用位置に位置しているかの、いずれの状態であるのかを検出する検出部を備え、前記制御部は、前記検出部によって前記整流板が前記使用状態用位置に位置していることを検出している状態では、前記排気用ファンの停止中に前記スイッチ部により前記排気用ファンを起動する指令が入力されたときに前記排気用ファンの起動を行い、前記排気用ファンの運転中には前記スイッチ部により前記排気用ファンを停止する指令が入力されるまで前記排気用ファンの運転を維持する通常モード用制御を実行し、前記通常モード用制御の実行中に前記検出部によって前記整流板が前記非使用状態用位置に位置していることを検出したときには、前記排気用ファンの運転を停止し且つ前記スイッチ部により前記排気用ファンを起動する指令が入力されたときにも前記排気用ファンの起動を行わずに前記排気用ファンの停止を維持する、非使用モード用制御を実行するレンジフードであって、前記通常モード用制御の実行中に前記検出部によって前記整流板が前記非使用状態用位置に位置していることを検出した時点において、少なくとも前記排気用ファンが運転中であるか、前記排気用ファンが停止中であるかの、いずれの制御状態であるのかの情報を含む、前記排気用ファンの制御情報を記憶しておき、前記非使用モード用制御の実行中において前記整流板が前記使用状態用位置に位置していることを検出した場合に前記制御部が再び前記通常モード用制御を実行する際の、前記排気用ファンの初期状態を選択可能に構成しておき、前記初期状態として第１の初期状態が選択されたときには、前記制御部は、前記非使用モード用制御の実行中において前記整流板が前記使用状態用位置に位置していることを検出した場合に、前記制御情報に関わらず前記排気用ファンの停止を維持した状態を前記初期状態として前記通常モード用制御を実行し、前記初期状態として第２の初期状態が選択されたときには、前記制御部は、前記非使用モード用制御の実行中において前記整流板が前記使用状態用位置に位置していることを検出した場合に、前記制御情報に応じて前記排気用ファンの停止の維持或いは起動を行った状態を前記初期状態として前記通常モード用制御を実行することを特徴としている。
【０００８】
このような構成とすることで、メンテナンス時や整流板などの清掃時に、ケーシングの排気用吸い込み口を広く望めるようにするために整流板を非使用状態用位置に移動させると、制御部が非使用モード用制御を実行して排気用ファンの回転を停止させる。従って、たとえ誤って排気用ファンを始動するスイッチを入り操作してしまったり、レンジフードへの電源供給を遮断することを失念してしまったときにも、排気用ファンが回転を開始したり回転を継続することがないため、メンテナンスや清掃を行う者が回転する排気用ファンに接触する事態を回避でき、メンテナンスや清掃の容易性に加えて、安全性をも向上させることができる。
【０００９】
また、第１の初期状態が選択されたときには、メンテナンスや清掃を終了した後に、整流板を使用状態用位置に戻しただけでは不用意に排気用ファンが回転運転を開始することがなく、スイッチ部から排気用ファンの起動のための指令が入力されるまでは排気用ファンの停止が維持されるため、安全性が保たれる。特に排気用ファンが大型、大径である場合に、回転を開始するときに徐々に回転数が上昇することに起因して、不用意に排気用ファンが回転運転を開始した直後においては、メンテナンス者や清掃を行う者が排気用ファンの起動に気づかずその場を離れてしまうような事態も回避できる。
【００１０】
また、第２の初期状態が選択されたときには、整流板の軽微な清掃などを行った後に、整流板を使用状態用位置に戻しただけで、制御部が再び通常モード用制御を実行する際に、非使用モード用制御の実行直前の排気用ファンの制御情報に応じて、排気用ファンの停止の維持或いは排気用ファンの起動を行った状態を初期状態として通常モード用制御を実行するから、整流板回りなど軽微な清掃を行う前において排気用ファンが回転運転していた場合には整流板を使用状態用位置に戻しただけで、排気用ファンが回転運転を開始した後に通常モード用制御を実行することになり、整流板などの軽微な清掃を行った後に、整流板を使用状態用位置に戻した後に使用者が改めて排気用ファンの起動を行う必要がないから使い勝手が良い。
【００１１】
つまり、本発明によって、メンテナンスや清掃が容易であり、安全性をも向上させることができると共に、第２の初期状態を選択することによって、整流板を使用状態用位置に戻した後に使用者が改めて排気用ファンの起動を行う必要がないように構成された、使い勝手が良いレンジフードとすることができる。
【００１２】
また、前記制御部への設定入力によって前記初期状態の選択を行う構成とするのが好ましい。
この場合、メンテナンス時や整流板などの清掃を行う時に、制御部への設定入力によって前記初期状態の選択を行うことができるので、メンテナンスや清掃の内容に応じて初期状態を選択することで、整流板を使用状態用位置に戻した後に実行される通常モード用制御における初期状態が選択できるから、さらに使い勝手が良いレンジフードとすることができる。
【００１３】
また、前記設定入力が、前記スイッチ部に備える選択スイッチの入力によって行われるように構成するのも好ましい。
この場合、スイッチ部に備える選択スイッチの入力によって設定入力が可能で、スイッチ部に備える選択スイッチの入力という簡単な操作で前記初期状態の選択ができるレンジフードとすることができる。
【００１４】
また、前記スイッチ部に備える前記排気用ファンの起動および起動後の回転速度および停止のための指令を入力するスイッチの何れかが前記選択スイッチを兼用する構成とするのも好ましい。
この場合、元々スイッチ部に備えている、排気用ファンの起動および起動後の回転速度および停止のための指令を入力するスイッチを用いて前記初期状態の選択ができるものとなって、前記初期状態の選択のための新たなスイッチをスイッチ部に別に追加する必要がないので、スイッチの個数の増加を抑制して低コストにレンジフードを構成することができる。
【００１５】
また、前記非使用モード用制御を実行してから前記整流板が前記使用状態用位置に位置していることを検出するまでの経過時間が所定の経過時間以上のときには、前記設定入力が前記第２の初期状態を選択するものであっても、前記初期状態として第１の初期状態が選択され、前記制御部は、前記制御情報に関わらず前記排気用ファンの停止を維持した状態を前記初期状態として前記通常モード用制御を実行するように構成するのも好ましい。
【００１６】
この場合、メンテナンス時や整流板などの清掃を行う時に、軽微で短時間で終了することが予測されるメンテナンスや清掃を想定して、第１の初期状態が選択されてメンテナンスや清掃が開始された後に、予想外にメンテナンスや清掃に時間を要してしまった場合などに、メンテナンスや清掃を終了した後に、整流板を使用状態用位置に戻しただけでは、メンテナンス者や清掃を行う者の意に反して不用意に排気用ファンが回転運転を開始することがなく、スイッチ部から排気用ファンの起動のための指令が入力されるまでは排気用ファンの停止が維持されるため、安全性が保たれる。特に排気用ファンが大型、大径である場合に、回転を開始するときに徐々に回転数が上昇することに起因して、不用意に排気用ファンが回転運転を開始した直後においては、メンテナンス者や清掃を行う者の意に反した排気用ファンの起動にメンテナンス者や清掃を行う者が気づかずその場を離れてしまうような事態も回避できる。
【００１７】
つまり、第１の初期状態が選択されてメンテナンスや清掃が開始された後に、予想外にメンテナンスや清掃に時間を要してしまった場合など、メンテナンスや清掃を終了した後に、メンテナンス者や清掃を行う者の意に反した排気用ファンの起動にメンテナンス者や清掃を行う者が気づかずその場を離れてしまうような事態が回避できる。
【００１８】
また、前記非使用モード用制御を実行してから前記整流板が前記使用状態用位置に位置していることを検出するまでの経過時間が所定の経過時間以上のときには前記第１の初期状態が選択され、前記非使用モード用制御を実行中してから前記整流板が前記使用状態用位置に位置していることを検出するまでの経過時間が所定の経過時間未満のときには前記第２の初期状態が選択されるように構成するのも好ましい。
【００１９】
この場合、メンテナンス時や整流板などの清掃を行う時に、メンテナンスや清掃に要する時間が比較的長時間であり、メンテナンス者や清掃を行う者がメンテナンスや清掃を開始する前、つまり、整流板を非使用状態用位置に移動させる前の排気用ファンの運転状態を忘れる蓋然性が高いと考えられるときには、前記非使用モード用制御を実行中してから前記整流板が前記使用状態用位置に位置していることを検出するまでの経過時間が長いいので第１の初期状態が選択される。
【００２０】
これに対し、メンテナンス時や整流板などの清掃を行う時に、メンテナンスや清掃に要する時間が比較的短時間であり、メンテナンス者や清掃を行う者がメンテナンスや清掃を開始する前、つまり、整流板を非使用状態用位置に移動させる前の排気用ファンの運転状態を忘れる蓋然性が低いと考えられるときには、前記非使用モード用制御を実行中してから前記整流板が前記使用状態用位置に位置していることを検出するまでの経過時間が短いので第２の初期状態が選択されるから、メンテナンス者や清掃を行う者が第１の初期状態や第２の初期状態を選択することなしに、適切に初期状態が選択されることになり、安全でしかもメンテナンスや清掃が容易な使い勝手がよいレンジフードとすることができる。
【００２１】
つまり、メンテナンス者や清掃を行う者が第１の初期状態や第２の初期状態を選択することなしに、非使用モード用制御を実行してから整流板が使用状態用位置に位置していることを検出するまでの経過時間に応じて前記初期状態が適切に選択される、安全でしかもメンテナンスや清掃が容易な使い勝手がよいレンジフードとすることができる。
【発明の効果】
【００２２】
上述のように、本発明によって、メンテナンスや清掃が容易であり、安全性をも向上させることができると共に、第２の初期状態を選択することによって、整流板を使用状態用位置に戻した後に使用者が改めて排気用ファンの起動を行う必要がないようにできる、使い勝手が良いレンジフードとすることができる。
さらに、スイッチ部に備える選択スイッチの入力という簡単な操作で前記初期状態の選択ができるレンジフードとすることもできる。
さらに、低コストにレンジフードを構成することもできる。
【００２３】
さらに、予想外にメンテナンスや清掃に時間を要してしまった場合など、メンテナンスや清掃を終了した後に、メンテナンス者や清掃を行う者の意に反した排気用ファンの起動にメンテナンス者や清掃を行う者が気づかずその場を離れてしまうような事態も回避できる。
【００２４】
さらに、メンテナンス者や清掃を行う者が第１の初期状態や第２の初期状態を選択することなしに、非使用モード用制御を実行してから整流板が使用状態用位置に位置していることを検出するまでの経過時間に応じて適切に前記初期状態が選択される、安全でしかもメンテナンスや清掃が容易な使い勝手がよいレンジフードとすることもできる。
【図面の簡単な説明】
【００２５】
【図１】本発明の一実施形態であり、整流板の他辺をフード部に係止させたレンジフードの使用可能状態における側面断面図である。
【図２】同上の正面断面図である。
【図３】図２のＢ−Ｂ線断面図である。
【図４】図１のＡ−Ａ線断面図である。
【図５】（ａ）は図３のＦ部で示す近接センサ付近の拡大図、（ｂ）は（ａ）の閉塞部材付近の拡大図である。
【図６】図４のＧ部で示す近接センサ付近の拡大図である。
【図７】同上の整流板の他辺を垂下させたレンジフードの非使用状態用位置を説明する側面断面図である。
【図８】同上のレンジフードの構成を示すブロック図である。
【図９】同上のレンジフードの動作を示すフローチャートである。
【図１０】同上のレンジフードの動作を示すフローチャートである。
【図１１】同上のレンジフードの動作を示すフローチャートである。
【発明を実施するための形態】
【００２６】
以下、本発明の実施の形態について、図面を参照しながら説明する。
【００２７】
図１は本発明の一実施形態のレンジフード１の側面断面図であり、図２は正面断面図であり、図３は図２のＢ−Ｂ線の断面図であり、図４は図１のＡ−Ａ線の断面図である。
【００２８】
本実施形態のレンジフード１は、図示しない台所等に設置されるコンロの上方に配設されている。
【００２９】
レンジフード１は、図１、図２に示すように、吸い込み部を有する排気用ファン４と、排気用ファン４を収容するケーシング２と、整流板８を揺動可能に取り付けたフード部３とを備えている。排気用ファン４は例えば遠心ファンからなる。
【００３０】
ケーシング２の底壁側には、下方に開口した排気用吸い込み口７が形成されており、排気用ファン４の吸い込み部が排気用吸い込み口７と連通している。排気用ファン４の吹き出し部に接続された排気ダクト３０は、ケーシング２の外部へ延びている。
【００３１】
前記フード部３は、下面が開口された平面視矩形状に形成されている。
フード部３の下面は隔壁１３で構成され、フード部３の上面は天板２１で構成されている。
【００３２】
天板２１はケーシング２の底壁の排気用吸い込み口７を塞がないように配置される。天板２１と隔壁１３との間は、制御部５（図８）、スイッチ部６、近接センサ１１等の配線を行う配線用通路２３となっている。
【００３３】
隔壁１３の下方には、平面視矩形状の整流板８が配設されている。フード部３に対する整流板８の係止構造については後述する。
【００３４】
この整流板８が使用状態用位置に位置しているときは、整流板８の外周端部とフード部３の外周側壁との間に環状の狭幅の流路９が形成されている。また隔壁１３の下面と整流板８の上面との間はフード内通路２２となっており、このフード内通路２２を介して流路９とケーシング２の底壁の排気用吸い込み口７とが連通している。ここで、環状の流路９を狭幅に形成することで、整流板８に当たった汚染空気が狭幅の流路９内ヘと高速で流入するようになり、これにより、ケーシング２の側方への汚染空気の溢流が抑制されて、ケーシング２の底壁の排気用吸い込み口７を経由する汚染空気の捕獲率が向上する。
【００３５】
前記フード部３の前面（図３における左側）には、排気用ファン４の起動および起動後の回転速度および停止のための指令を入力するスイッチ部６が設けられる。スイッチ部６は、図８に示すように、停止スイッチ、強スイッチ、中スイッチ、弱スイッチ、照明スイッチ、チャイルドロックスイッチを備えている。このスイッチ部６は、押し操作している間だけ接点を閉じられるモーメンタリスイッチ（例えば、タクトスイッチ）が用いられると共に、各スイッチの操作面は図示しないメンブレンシートにより覆われている。
【００３６】
スイッチ部６からの指令信号は、制御部５（図８）に入力される。制御部５は、スイッチ部６からの信号に応じて排気用ファン４の起動および起動後の回転速度および停止を制御する。
【００３７】
本例では、チャイルドロックスイッチを所定時間（例えば、３秒）以上継続して押し操作することで、排気用ファン４の運転中には排気用ファン４の運転を停止し、また、排気用ファン４の運転停止中に強スイッチ、または、中スイッチ、または、弱スイッチが押し操作されても排気用ファン４の回転を開始しない状態である、チャイルドロックモードに移行する。これにより老齢者等の誤操作を未然に防止できる。なお、チャイルドロックモードにおいて、チャイルドロックスイッチを所定時間（例えば、３秒）以上継続して押し操作することでチャイルドロックモードが解除され、通常モード用制御に切り換わり、強スイッチ、または、中スイッチ、または、弱スイッチの押し操作による排気用ファン４の回転が可能となる。
【００３８】
また、強スイッチ、または、中スイッチ、または、弱スイッチが押し操作されて、排気用ファン４が強回転、または、中回転、または、弱回転でレンジフード１が運転しているときは、台所等のコンロで発生した上昇汚染空気流が、コンロ上方の吸い込み口（狭幅の流路９）からレンジフード１内へ吸引され、更に排気用ファン４と排気ダクト３０とを経て屋外へ排出される。
【００３９】
前記フード部３内の後端側には、照明用のランプ５０を設置するための照明器具設置部５１が収納されている。スイッチ部６の照明スイッチを押し操作することによりランプ５０に通電され、また、ランプ５０に通電された状態で、再度、照明スイッチを押し操作することによりランプ５０への通電が遮断される。
【００４０】
本例のランプ５０は、整流板８の一辺８ａ側に開設された透光孔３２に臨ませて配置されている。本例の透光孔３２の周囲は、整流板８の一部を上方に膨出させた膨出部３１で囲まれている。膨出部３１は、ランプ５０に向かって上り傾斜しており、ランプ５０の光は膨出部３１の下側に開口している透光孔３２を通ってレンジフード１の下方に向けて照射されるものである。本例の膨出部３１は、整流板８の一辺８ａと平行な左右方向に長く形成されており、これに伴い透光孔３２も左右方向に長く開口しており、レンジフード１の下方の照明効果が高められている。
【００４１】
さらに前記膨出部３１は、フード部３内の隔壁１３と整流板８間のフード内通路２２内に流れ込む空気流のバランスを良好に保つ働きもする。つまり、汚染空気は図１の矢印ａで示すように、環状の狭幅の流路９からフード内通路２２内に吸い込まれ、更に矢印ａ１,ａ２で示すように、ケーシング２の底壁の排気用吸い込み口７から排気用ファン４に吸い込まれる。このとき、整流板８において、透光孔３２を形成するために、単に整流板８の一辺８ａの一部を切り欠いただけでは、狭幅の流路９における透光孔３２の形成箇所付近の汚染空気通過用流路幅が、狭幅の流路９における他の部分と比べて広くなってしまうことに起因して、汚染空気の流速が低下してしまい、汚染空気の捕捉率が低下してしまうのであるが、本例では膨出部３１によってフード内通路２２における整流板８とフード部３の下面との間隔を狭くなるように構成している。これにより汚染空気の流速の低下を防いで、汚染空気の捕捉率の低下を防止するものである。
【００４２】
整流板８の一辺８ａは、フード部３の後端側に揺動可能に軸支されており、該一辺８ａと対向する他辺８ｂは、フード部３の前端側に着脱自在に係止可能とされている。
【００４３】
図１〜図４に示す例では、整流板８の一辺８ａの左右両側にそれぞれ軸支部１５が設けられ、各軸支部１５は、フード部３内の隔壁１３の後端両側に取り付けた一対の支軸支持用金具１６にそれぞれ軸支されている。
【００４４】
整流板８の他辺８ｂの左右両端側のコーナー部には、それぞれ、整流板係止金具１７が設けられている。図５（ａ）および図６は、整流板８の他辺８ｂの左右両端側に備える２個の整流板係止金具１７のうち正面視右側の整流板係止金具１７を示している。この整流板係止金具１７は、図６に示すように、整流板８の上面に固定される固定部１７ａと、固定部１７ａの一端から上方に突出するストッパー１７ｂと、固定部１７ａの他端から整流板８の端部よりも上方に立ち上がる立上り部１７ｃとが一体に構成されている。立上り部１７ｃの上端には係止孔１７ｄが穿孔されている。更に立上り部１７ｃの上端からは、上端に行くほど右側に向かって傾斜した傾斜ガイド部１７ｅが連設されており、この傾斜ガイド部１７ｅの上端から外側方Ｅに向かって水平部１７ｆが突設されている。この水平部１７ｆは磁性体１２で構成されており、後述する近接センサ１１と共に検出部１０を構成する。
【００４５】
一方、フード部３内の隔壁１３の前端両側には、それぞれ整流板取付金具１８が取り付けられている。この整流板取付金具１８は、図６に示すように、隔壁１３の上面にネジ止めされる取付片１８ａと、取付片１８ａの端部から隔壁１３を貫通して、前記整流板係止金具１７の立上り部１７ｃの内側（Ｐ：外側方Ｅと反対側）に沿って下方に突出する突出片１８ｂとを備える。突出片１８ｂの背後にはスプリングケース１８ｃが取り付けられ、スプリングケース１８ｃ内には、突出片１８ｂに設けた開口部１８ｄから外側方Ｅに向かって出没自在なシャフト部１８ｅと、シャフト部１８ｅを外側方Ｅに付勢するコイルスプリング１８ｆとが収納されており、このコイルスプリング１８ｆによってシャフト部１８ｅの先端が突出片１８ｂの開口部１８ｄを貫通して外側方Ｅに突出する方向に常に付勢されている。また本例では、シャフト部１８ｅが突出する外側方Ｅには、シャフト部１８ｅの先端を指等で押し込み操作可能とするための下方に開口したスペース２０が確保されている。
【００４６】
整流板８の他辺８ｂをフード部３に係止させるには、整流板８の他辺８ｂを垂下させた状態（図７の状態）から使用状態用位置（図１の状態）に向かって押し上げる。このとき、最初に、整流板係止金具１７の傾斜ガイド部１７ｅが整流板取付金具１８のシャフト部１８ｅの先端に当たり、これによりシャフト部１８ｅは傾斜ガイド部１７ｅに沿ってスライドしながらコイルスプリング１８ｆの付勢力に抗して引退していく。引き続き整流板８の他辺８ｂの押し上げを継続させると、整流板係止金具１７の係止孔１７ｄがシャフト部１８ｅと同じ高さまで上昇した段階で、コイルスプリング１８ｆの付勢力によってシャフト部１８ｅの先端が係止孔１７ｄに嵌入する（図６の状態）。これにより、整流板係止金具１７は整流板取付金具１８から離脱しない状態となり、結果、整流板８の他辺８ｂのフード部３に対する固定が完了する。またシャフト部１８ｅの先端が係止孔１７ｄに嵌入したときには、整流板係止金具１７のストッパー１７ｂが整流板取付金具１８のスプリングケース１８ｃの下面に当接して整流板８の他辺８ｂのそれ以上の押し上げを規制する。これにより、整流板係止金具１７の磁性体１２が隔壁１３に開設した検出用孔１９の手前で停止し、後述する近接センサ１１の検出面１１ａに対峙した位置で保たれるようになる。
【００４７】
レンジフード１のメンテナンス時や整流板８の上面の清掃時には、スペース２０内に手を入れて、シャフト部１８ｅの先端を指先で図６の矢印方向Ｐに押し込むことで、シャフト部１８ｅはコイルスプリング１８ｆの付勢力に抗して整流板係止金具１７の係止孔１７ｄから離脱する。これにより、整流板係止金具１７と整流板取付金具１８との係止保持が解除され、整流板８の他辺８ｂをフード部３から離して一辺８ａを支軸として下方に回動可能となる。
【００４８】
＜レンジフード１の整流板８の他辺８ｂを垂下させた状態における安全装置＞
レンジフード１の整流板８の他辺８ｂを垂下させた状態において不用意に排気用ファン４が回転しないようにするための安全装置としての近接センサ１１を備えており、レンジフード１が使用可能状態であること、すなわち、整流板８の他辺８ｂがフード部３に固定された状態であることを、近接センサ１１により検出するようにしてある。
【００４９】
本例の近接センサ１１は、整流板８の他辺８ｂ側と対向するフード部３内の前端側に収納されていると共に、フード部３の天板２１の下面側に取り付けられている。近接センサ１１の内部には、整流板８に取り付けた整流板係止金具１７の磁性体１２の近接を検出するための、図示しないリードスイッチと永久磁石とが設けられており、近接センサ１１の検出面１１ａに磁性体１２が近接しないときには永久磁石からの磁束がリードスイッチの電極（接点）間を通過せずリードスイッチの電極（接点）が接触せずに非検出状態（本例ではＯＦＦ）となり、一方、検出面１１ａに磁性体１２が近接したときには永久磁石からの磁束がリードスイッチの電極（接点）間を通過してリードスイッチの電極（接点）が接触して検出状態（本例ではＯＮ）となるものである。これにより近接センサ１１と磁性体１２は、整流板８が使用状態用位置に位置しているか、或いは使用状態用位置ではない非使用状態用位置に位置しているかの、いずれの状態であるのかを検出する検出部１０を構成する。
【００５０】
近接センサ１１の検出面１１ａは、フード部３内の隔壁１３よりも上方位置で且つ該隔壁１３に開口した検出用孔１９に臨む形態で配置されている。すなわち、整流板８の他辺８ｂをフード部３に係止させた使用状態用位置では、磁性体１２が近接センサ１１の検出面１１ａと所定距離（実施例では３．２ｍｍ）を隔てて対峙するようにしてあり、この磁性体１２が近接センサ１１に対する検出体として作用し、近接センサ１１内に備えるリードスイッチの電極（接点）がＯＮとなるように構成してある。また、整流板８の他辺８ｂをフード部３から外して下方に揺動させていくと、磁性体１２が近接センサ１１の検出面１１ａから離れていくことになるが、このとき磁性体１２と検出面１１ａとの距離が所定の距離（実施例では６ｍｍ）以上になると近接センサ１１内に備えるリードスイッチの電極（接点）がＯＦＦとなるように構成してある。
【００５１】
本例のフード部３内の隔壁１３は塗装した鉄板により構成されており、その一部に検出用孔１９を設けてある。この検出用孔１９は、図５（ｂ）に示すように、樹脂などの非磁性材料から成る閉塞部材１４で閉塞可能とされる。本例では、検出用孔１９は、隔壁１３の上方に向けて段押し加工されており、閉塞部材１４の板厚分だけ上方に向けた凹部となっている。閉塞部材１４は、凹部内に接着され、近接センサ１１を保護する機能を有すると共に、検出用孔１９周辺を隔壁１３の下面と面一に連続させることで、フード部３内の隔壁１３の拭き掃除が容易にできるようにしている。
【００５２】
次に、制御部５の制御動作を説明する。  前記検出部１０の検出結果は制御部５（図８）に入力される。制御部５は当該検出結果に応じて、通常モード用制御と、非使用モード用制御のいずれか１つを実行する。以下、順次説明する。
【００５３】
図９は、近接センサ１１内に備えるリードスイッチの電極（接点）がＯＮしているかＯＦＦしているかに応じて、制御部５が通常モード用制御を実行するか非使用モード用制御を実行するためのサブルーチンのフローチャートを示す。
【００５４】
＜レンジフード１の通常使用における動作＞  
整流板８の他辺８ｂがフード部３に係止されているときは、近接センサ１１内に備えるリードスイッチの電極（接点）がＯＮであることから、図９においてステップＳ０１からＳ０２に進み、制御部５はロックモードフラグを「０」に設定するまたはロックモードフラグが「０」である状態を維持した後Ｓ０３に進みリターンして、図示しないメインルーチンにおいてロックモードフラグ＝「０」に基づき、下記の通常モード用制御が実行される。
【００５５】
ロックモードフラグが「０」のときには、通常モード用制御が実行され、通常モード用制御が実行されると、強スイッチ、中スイッチ、弱スイッチの押し操作に応じて、排気用ファン４が強回転運転、または、中回転運転、または、弱回転運転を行い、レンジフード１の排気運転を行う。また、排気用ファン４が強回転、または中回転、または弱回転で運転している場合において、停止スイッチの押し操作をすることで、排気用ファン４は回転を停止し、レンジフード１の運転は停止する。
【００５６】
＜近接センサ１１内に備えるリードスイッチがＯＦＦしているときの動作＞
シャフト部１８ｅを指で押して整流板８の他辺８ｂをフード部３から外して垂下させた非使用状態用位置にすると、磁性体１２が近接センサ１１の検出面１１ａから所定距離（実施例では６ｍｍ）以上離れることで、近接センサ１１内に備えるリードスイッチの電極（接点）がＯＦＦとなる。この場合、図９においてステップＳＯ１からＳ０４に進み、制御部５はロックモードフラグを「１」に設定するまたはロックモードフラグが「１」である状態を維持したした後Ｓ０３に進みリターンして、図示しないメインルーチンにおいてロックモードフラグ＝「１」に基づき、下記の非使用モード用制御が実行される。
【００５７】
ロックモードフラグが「１」のときには、非使用モード用制御が実行され、非使用モード用制御が実行されると、排気用ファン４のモータの回転運転を停止するかまたは停止が維持され、また、強スイッチ、中スイッチ、弱スイッチのいずれの押し操作を行っても排気用ファン４のモータには電源供給がされず、レンジフード１の排気運転は行われない。
【００５８】
＜近接センサ１１内に備えるリードスイッチがＯＦＦしたときの制御＞
図１０は、近接センサ１１内に備えるリードスイッチの電極（接点）がＯＮからＯＦＦに変化したか否かの判定に基づき制御部５が排気用ファン４の運転制御を行うためのサブルーチンのフローチャートを示す。
図１０において、近接センサ１１内に備えるリードスイッチの電極（接点）がＯＮを継続している場合は、ステップＳ１１からＳ１２に進みリターンする。
【００５９】
近接センサ１１内に備えるリードスイッチの電極（接点）がＯＮからＯＦＦとなった場合、図１０のステップＳ１１からＳ１３に進み、その時点において、排気用ファン４が回転運転していたかどうか、回転運転していた場合は、強回転運転、中回転運転、弱回転運転の何れの運転を行っていたのかについての制御情報である、リードスイッチの電極（接点）ＯＦＦ時制御情報Ｄｉを記憶する。
【００６０】
上記非リードスイッチの電極（接点）ＯＦＦ時制御情報Ｄｉを記憶した後、排気用ファン４への電源供給が遮断されて、排気用ファン４の運転を停止する（Ｓ１４）と共に、ロックモードフラグを「１」に設定し（ステップＳ４）、その後制御部５は非使用モード用制御を実行して、Ｓ１２に進みリターンして、図示しないメインルーチンにおいてロックモードフラグ＝「１」に基づき、上述の非使用モード用制御が実行される。
【００６１】
＜近接センサ１１による整流板係止金具１７の近接の検出状態への復帰＞
その後、整流板８の他辺８ｂを使用状態用位置に戻すと、フード部３側のシャフト部１８ｅが整流板８側の係止孔１７ｄに嵌まり込むことにより、整流板８がフード部３に対して固定される。このとき、整流板８側の磁性体１２がフード部３側の近接センサ１１の検出面１１ａに近接して近接センサ１１内のリードスイッチの電極（接点）がＯＮとなるが、この場合、制御部５は、図１１に示す、近接センサ１１内に備えるリードスイッチの電極（接点）がＯＦＦからＯＮに変化したか否かの判定に基づき制御部５が排気用ファン４の運転制御を行うためのサブルーチンのフローチャートに基づき、排気用ファン４の運転制御を行う。
【００６２】
図１１において、近接センサ１１内に備えるリードスイッチの電極（接点）がＯＦＦを継続している場合は、ステップＳ２１からＳ２６に進みリターンする。
本実施形態においては、スイッチ部６に備える設定用スイッチ（図８）よって第１の初期状態または第２の初期状態を選択し、制御部５への設定入力を行うように構成されており、近接センサ１１内に備えるリードスイッチの電極（接点）がＯＦＦからＯＮとなった場合、図１１のステップＳ２１からＳ２２に進み、スイッチ部６において第２の初期状態を選択するように設定されているか否かについての判定を行う。
【００６３】
第２の初期状態を選択するように設定されていない場合は、ステップＳ２２からＳ２３に進み、排気用ファン４の停止を維持した状態を初期状態とした後にステップＳ２６に進みリターンして、図示しないメインルーチンにおいてロックモードフラグ＝「０」に基づき、上述の通常モード用制御が実行される。
したがって、整流板８を閉じただけでは、排気用ファン４の停止は維持されることになる。その後、スイッチ部６から排気用ファン４の起動のための指令が入力されたときには、排気用ファン４を起動させる。
【００６４】
第２の初期状態を選択するように設定されている場合は、ステップＳ２２からＳ２４に進み、近接センサ１１内に備えるリードスイッチの電極（接点）がＯＦＦになってから再びＯＮするまでの経過時間が所定時間（本実施形態では１分）以上であるか所定時間（本実施形態では１分）未満であるかが判定され、所定時間（本実施形態では１分）以上の場合には、ステップＳ２３に進み、排気用ファン４の停止を維持した状態を初期状態とした後にステップＳ２６に進みリターンして、図示しないメインルーチンにおいてロックモードフラグ＝「０」に基づき、上述の通常モード用制御が実行される。
したがってこの場合も、整流板８を閉じただけでは、排気用ファン４の停止は維持されることになる。その後、スイッチ部６から排気用ファン４の起動のための指令が入力されたときには、排気用ファン４を起動させることになる。
【００６５】
近接センサ１１内に備えるリードスイッチの電極（接点）がＯＦＦになってからＯＮとなるまでの経過時間が所定時間（本実施形態では１分）未満の場合は、ステップＳ２４からＳ２５に進み、近接センサ１１内に備えるリードスイッチの電極（接点）がＯＮからＯＦＦとなった時点で記憶した、リードスイッチの電極（接点）ＯＦＦ時制御情報Ｄｉ、すなわち、排気用ファン４が回転運転していたかどうか、回転運転していた場合は、強回転運転、中回転運転、弱回転運転の何れの運転を行っていたのかについての制御情報に基づく排気用ファン４の運転状態を初期状態とした後にステップＳ２６に進みリターンして、図示しないメインルーチンにおいてロックモードフラグ＝「０」に基づき、上述の通常モード用制御が実行される。
【００６６】
したがって、近接センサ１１内に備えるリードスイッチの電極（接点）がＯＮからＯＦＦとなった時点で排気用ファン４が強回転運転、中回転運転、弱回転運転の何れかの回転速度で回転運転していた場合は排気用ファン４がそのときの回転速度で回転運転する状態に復帰し、近接センサ１１内に備えるリードスイッチの電極（接点）がＯＮからＯＦＦとなった時点で排気用ファン４が停止していた場合は排気用ファン４が停止を維持した状態を初期状態として通常モード用制御が実行される。
【００６７】
しかして、本レンジフード１の構成によれば、整流板８の他辺８ｂを使用状態用位置から非使用状態用位置にしたときに、非使用モード用制御が自動的に実行されるため、排気用ファン４が停止する。これにより、たとえレンジフード１への電源供給を遮断することを失念してしまい、メンテナンス途中で誤って排気用ファン４を始動するスイッチを入り操作してしまったときにも、排気用ファン４が回転することがないため、メンテナンス者が回転する排気用ファン４に接触する心配がなくなり、安全性が確保される。
【００６８】
さらにメンテナンス終了後に、整流板８の他辺８ｂをフード部３に係止させて使用状態用位置に戻したときに、近接センサ１１内のリードスイッチがＯＮしたした場合でも、メンテナンス者や清掃者の意に反して排気用ファン４が回転運転を開始しないから、メンテナンスや清掃を終えた後に、不用意に排気用ファン４が回転運転を開始することがないため、安全性が保たれる。特に排気用ファン４が大型、大径である場合に、回転を開始するときに徐々に回転数が上昇することに起因して、メンテナンス者や清掃者の意に反して不用意に排気用ファン４が回転運転を開始した直後においては、メンテナンス者や清掃者が排気用ファン４の起動に気づかずその場を離れてしまうおそれがあることを考慮すると、省エネルギの観点からも有効である。
【００６９】
上記実施形態では、近接センサ１１内のリードスイッチがＯＦＦして整流板８が非使用状態用位置にあるときは、制御部５は非使用モード用制御を実行して排気用ファン４の停止を維持させるようにしたが、他例として、非使用モード用制御の実行中において所定のロックモード解除操作が行われたときは、排気用ファン４の回転運転を可能とするメンテナンスモード用制御を実行する構成としてもよい。所定のロックモード解除操作としては、例えば、３個以上のスイッチの３秒以上の同時押しを行なうことが挙げられるが、勿論これに限らず、解除方法は任意に設定自在である。
【００７０】
また上記実施形態では、強運転、中運転、弱運転の３段階の回転速度で排気用ファン４を運転する場合を示したが、２段以下、または、４段階以上の回転速度で運転するように構成しても良い。また、排気用ファン４として遠心ファンを用いる例を示したが、プロペラファンなど異なる形式のファンを用いても良い。
【００７１】
また上記実施形態ではリードスイッチと永久磁石とを備える近接センサ１１を用いているが、別の磁気的原理による近接センサや磁気的原理によらないフォトインタラプタなどの光学的原理による近接センサや機械的原理によるマイクロスイッチを用いるなど種々変更可能である。
【００７２】
また上記実施形態では、スイッチ部６に備える設定用スイッチよって第１の初期状態または第２の初期状態を選択し、制御部５への設定入力を行うように構成されているが、制御部５に設定入力部を設けておき、この設定入力部への入力により制御部５への設定入力を行うように構成してもよい。なお、この設定入力部への入力はスイッチによる入力に限定されず、通信手段等による通信によって行ってもよい。
【００７３】
また上記実施形態では、スイッチ部６に備える設定用スイッチよって第１の初期状態または第２の初期状態を選択し、制御部５への設定入力を行うように構成されているが、設定用スイッチを別に備えるのではなく、スイッチ部６に備える強スイッチ、中スイッチ、弱スイッチ照明スイッチなどのスイッチを２個以上同時押しすることなどで第１の初期状態または第２の初期状態を選択できるように構成し、設定用スイッチを強スイッチ、中スイッチ、弱スイッチ照明スイッチなどとは別に備えない構成としてもよい。
【００７４】
また上記実施形態では、制御部５への設定入力が第２の初期状態を選択するものである場合であっても、非使用モード用制御を実行してから近接センサ１１内のリードスイッチがＯＮして整流板８が使用状態用位置に位置していることを検出するまでの経過時間が所定の経過時間（上記実施形態では１分）以上のときには、初期状態として第１の初期状態が選択され、制御部５は、制御情報Ｄｉに関わらず排気用ファン４の停止を維持した状態を初期状態として通常モード用制御を実行するように構成されているが、非使用モード用制御を実行してから近接センサ１１内のリードスイッチがＯＮして整流板８が使用状態用位置に位置していることを検出するまでの経過時間によらず、設定入力が第２の初期状態を選択するものである場合は初期状態として第２の初期状態が選択されるように構成してもよい。
【００７５】
また上記実施形態では、制御部５への設定入力によって第１の初期状態または第２の初期状態を選択し、制御部５への設定入力を行うように構成されているが、制御部５への設定入力は行わず、単に、非使用モード用制御を実行してから、近接センサ１１内のリードスイッチがＯＮして整流板８が使用状態用位置に位置していることを検出するまでの経過時間が所定の経過時間（例えば１分）以上のときには第１の初期状態が選択され、非使用モード用制御を実行してから、近接センサ１１内のリードスイッチがＯＮして整流板８が前記使用状態用位置に位置していることを検出するまでの経過時間が所定の経過時間（例えば１分）未満のときには前記第２の初期状態が選択されるように構成してもよい。
【００７６】
更に他例として、制御部５への設定入力が第２の初期状態を選択するものである場合に、非使用モード用制御を実行してから、近接センサ１１内のリードスイッチがＯＮして整流板８が使用状態用位置に位置していることを検出するまでの経過時間が、所定の経過時間（例えば１分）または所定の経過時間（例えば１分）より短い設定時間（例えば５０秒）に達した時点で、光、または、音、または、光と音の両方で、第１の初期状態の選択に関して変更が行われる旨の報知を行うように構成してもよい。
【符号の説明】
【００７７】
１  レンジフード
２  ケーシング
３  フード部
４  排気用ファン
５  制御部
６  スイッチ部
７  排気用吸い込み口
８  整流板
８ａ  一辺
８ｂ  他辺
９  流路
１０  検出部
１１  近接センサ
１１ａ  検出面
１２  磁性体
１３  隔壁
１４  閉塞部材
１５  軸支部
１６  支軸支持用金具
１７  整流板係止金具
１８  整流板取付金具
１９  検出用孔
２０  スペース
２１  天板
２２  フード内通路
２３  配線用通路
３０  排気ダクト
３１  膨出部
３２  透光孔
Ｄｉ  制御情報
Ｅ  外側方
【図９】
0005841448.tif 000002
【図１０】
0005841448.tif 000003
【図１１】
0005841448.tif 000004
【図１】
0005841448.tif 000005
【図２】
0005841448.tif 000006
【図３】
0005841448.tif 000007
【図４】
0005841448.tif 000008
【図５】
0005841448.tif 000009
【図６】
0005841448.tif 000010
【図７】
0005841448.tif 000011
【図８】
0005841448.tif 000012